(57)【要約】【課題】家屋の防水加工に用いる長尺状の防水シートに関し、端部の重ね合わせ部分の幅を容易に視認することができると共に、簡単に直線状に裁断することができる施工性の優れた防水シートを提供する。【解決手段】長手方向に沿って描画され、幅方向に並列した複数の横補助線１ａと、幅方向に沿って描画され、長手方向に並列した複数の縦補助線１ｂとからなる格子状の補助線１を備える。また、幅方向の各端部５，５に、長手方向に沿って描画された横重ね代線２と、幅方向に沿って描画され、長手方向に並列した複数の縦重ね代線３とを備える。そして、横重ね代線２及び縦重ね代線３は、補助線１よりも視認性が高い。好ましくは、幅方向の中央部６に、長手方向に沿って描画され、補助線１よりも視認性が高い中央線４を備える。【選択図】図１
2010144370.tif 000002
【特許請求の範囲】
【請求項１】
家屋の防水加工に用いる長尺状の防水シートであって、長手方向に沿って描画され、幅方向に並列した複数の横補助線と、幅方向に沿って描画され、長手方向に並列した複数の縦補助線とからなる格子状の補助線を備えると共に、幅方向の各端部に、長手方向に沿って描画された横重ね代線と、幅方向に沿って描画され、長手方向に並列した複数の縦重ね代線とを備え、横重ね代線及び縦重ね代線は、補助線よりも視認性が高いことを特徴とする防水シート。
【請求項２】
幅方向の中央部に、長手方向に沿って描画され、補助線よりも視認性が高い中央線を備えることを特徴とする請求項１に記載の防水シート。
【発明の詳細な説明】
【技術分野】
【０００１】
本発明は、家屋の防水加工に用いる防水シートに関するものである。
【背景技術】
【０００２】
家屋の壁などに防水性を付与するために防水シートを用いて防水加工を行うことが知られている。防水シートは長尺に形成され、家屋の形状に合わせて適宜裁断された後、壁などの下地として、複数の防水シート同士の端部を重ねるようにして敷き詰めて貼り付けられるものである。
【０００３】
図４は従来の防水シートＡ’の一例を示している（例えば、特許文献１）。この防水シートＡ’には、長手方向に描画された複数の長手格子線１ａ’と、幅方向に描画された複数の幅格子線１ｂ’とにより、表面に格子状の模様が施されている。このような格子状の模様により、防水シートＡ’同士の端部を重ね合わせる際には格子模様の端部の線を基準に重ね合わせることができ、重なり部分の幅が分かりやすくなると共に、裁断の際には格子模様を形成する直線を基準に裁断してシートを真っ直ぐに裁断することができ、施工性が向上するものである。
【特許文献１】実開平６−２０６７３号公報
【発明の開示】
【発明が解決しようとする課題】
【０００４】
しかしながら、上記のような格子模様が施された防水シートを用いた場合、防水シートの端部を重ね合わせる際に、格子模様を形成する複数の直線のうち、どの線を重ね代の目安の線として用いるかが一見しただけでは分かりにくく、そのため、重ね合わせる幅をその都度確認しなければならず、施工に手間がかかるという問題が生じていた。
【０００５】
本発明は上記の点に鑑みてなされたものであり、端部の重ね合わせ部分の幅を容易に視認することができると共に、簡単に直線状に裁断することができる施工性の優れた防水シートを提供することを目的とするものである。
【課題を解決するための手段】
【０００６】
本発明の請求項１に係る防水シートは、家屋の防水加工に用いる長尺状の防水シートＡであって、長手方向に沿って描画され、幅方向に並列した複数の横補助線１ａと、幅方向に沿って描画され、長手方向に並列した複数の縦補助線１ｂとからなる格子状の補助線１を備えるものである。また、幅方向の各端部５，５に、長手方向に沿って描画された横重ね代線２と、幅方向に沿って描画され、長手方向に並列した複数の縦重ね代線３とを備えるものである。そして、横重ね代線２及び縦重ね代線３は、補助線１よりも視認性が高いことを特徴とするものである。
【０００７】
請求項２に係る防水シートは、上記構成に加え、幅方向の中央部６に、長手方向に沿って描画され、補助線１よりも視認性が高い中央線４を備えることを特徴とするものである。
【発明の効果】
【０００８】
本発明の請求項１の防水シートによれば、防水シートの幅方向の端部同士を重ね合わせる際には横重ね代線を目安にして重ね合わせることができると共に、裁断された防水シートを長手方向に重ね合わせる際には縦重ね代線を目安にして重ね合わせることができるので、重ね幅を間違えることがなく調整することが可能となり、容易に防水シートを重ね合わせることができる。また、防水シートを裁断する際には、格子状の補助線を目安にして直線状に裁断することができるので、容易に防水シートを真っ直ぐに裁断することができる。そして、横重ね代線及び縦重ね代線は、補助線よりも視認性が高いので、重ね合わせる際には視認性の低い補助線を確認することなく視認性の高い重ね代線を目安にして重ねることができ、一方、裁断する際には視認性の低い補助線を近くで確認しながら裁断することができるので、防水シート取り付け時の施工性が向上するものである。
【０００９】
請求項２の防水シートによれば、幅方向の中央部に、補助線よりも視認性が高い中央線を備えることにより、防水シートを長手方向と幅方向とに同時に重ね合わせる場合、防水シートの長手方向の重ね代幅を任意に調整する際に、この中央線を合わせることで隣り合うシート同士を揃えて施工することができるというガイドの役目を果たし、防水シートの施工性がさらに向上するものである。また、防水シートの中央位置・幅が把握しやすく、タッカーなどの固定具を打つ目安になるなど、防水シートの施工に有利に働くものである。
【発明を実施するための最良の形態】
【００１０】
図１は、本発明の防水シートＡの一例を示す平面図である。図１の防水シートＡは、家屋の壁の防水加工に用いられるものであり、長尺状に形成され、図中左側部分が巻き取られている。防水シートＡの幅は、家屋の構造や取り扱い性などを考慮して適宜に設定することができるが、例えば、１ｍ又は１．１ｍにすることができる。
【００１１】
防水シートＡには、長手方向に沿って描画され、幅方向に等間隔に並列した複数の直線が横補助線１ａとして備えられている。また、幅方向に沿って描画され、長手方向に等間隔に並列した複数の直線が縦補助線１ｂとして備えられている。そして、この横補助線１ａ及び縦補助線１ｂとから格子状の補助線１が形成されている。図１の例では、補助線１が細い破線として描画されている。
【００１２】
補助線１は、防水シートＡを家屋の形状に合わせて直線状に裁断する際の目安となる線である。すなわち、補助線１に沿って裁断したり、補助線１と平行に裁断したりすることにより、防水シートＡを容易に真っ直ぐに裁断できるものである。補助線１によって形成される格子のピッチ幅は適宜設定できるものであり、例えば、横１５０ｍｍ、縦１００ｍｍなどのピッチ幅にすることができる。また、図１の例においては横長矩形状の格子模様となっているが、格子模様が形成されているのであれば、正方形であっても縦長矩形状であってもよい。なお、縦及び横という表現は図１の防水シートＡを貼り付ける際の好ましい方向に合わせて便宜上名付けたものであり、縦と横とが入れ替わっているものも本発明の範囲に含まれるのは言うまでもない。
【００１３】
防水シートＡの幅方向の各端部５，５には、それぞれ、長手方向に沿って描画された直線が横重ね代線２として備えられている。図１の例では、横補助線１ａの各最外端の線が横重ね代線２となっている。横重ね代線２は、防水シートＡを幅方向に重ね合わせる際の重ね合わせ幅（重ね代）の目安となる線であり、幅方向の内側の他の横補助線１ａよりも目立ち易く視認性が高い線となっている。図１の例では、横重ね代線２は太い破線として描画されている。
【００１４】
また、図１の例では、防水シートＡの幅方向の先端から横重ね代線２までの長さと同じ長さで、格子模様の幅方向のピッチ幅（隣り合う横補助線１ａ，１ａの間隔）が形成されている。それにより、施工の都合上、防水シートＡを長手方向に裁断して横重ね代線２が消失したシート片ができた場合などにおいても、横補助線１ａを横重ね代線２の代わりに重ね代の目安となる線として利用することができ、防水シートＡの利用性を向上することができる。
【００１５】
また、防水シートＡの幅方向の各端部５， ５には、それぞれ、幅方向に沿って描画され、長手方向に等間隔に並列した複数の直線が縦重ね代線３として備えられている。一方の幅方向の端部５の縦重ね代線３と他方の幅方向の端部５の縦重ね代線３とが長手方向の同じ位置で描画されており、図１の例では、縦補助線１ｂのうち、横重ね代線２よりも幅方向の先端側の部分が縦重ね代線３となっている。縦重ね代線３は、裁断された防水シートＡを長手方向に重ね合わせる際の重ね合わせ幅（重ね代）の目安となる線であり、横重ね代線２，２に挟まれた縦補助線１ｂの部分よりも目立ち易く視認性が高い線となっている。図１の例では、縦重ね代線３は太い破線として描画されている。
【００１６】
このように、横重ね代線２及び縦重ね代線３は補助線１よりも視認性が高い線として描画されるものであり、それにより、防水シートＡを取り付ける際には、より目立った横重ね代線２及び縦重ね代線３を目安に防水シートＡを重ね合わせて重ね代の幅を調整することができるので、施工性が向上するものである。
【００１７】
視認性を高くする方法としては、これに制限されるものではなく、例えば、太実線と細実線や、太点線と細点線、濃い線と薄い線、実線と破線などの各種の線種を用いたり、赤線と青線など色種を変えたり、また、それらの線種と色種を組み合わせて用いたりすることにより、横重ね代線２及び縦重ね代線３の視認性を高くすることができる。
【００１８】
また、図１の例においては、横重ね代線２と縦重ね代線３とに、同じ線種のものを用いた例を示しているが、横重ね代線２及び縦重ね代線３の視認性が補助線１の視認性よりも高いものであればよく、横重ね代線２の線種や色種が、縦重ね代線３の線種や色種と異なるものであっていてもよい。
【００１９】
さらに、図１の例においては、防水シートＡの幅方向の中央部６には、長手方向に沿って描画された直線が中央線４として備えられている。図示の例では、中央部６に位置する横補助線１ａの一つが中央線４となっている。中央線４は、横重ね代線２を除く他の横補助線１ａよりも目立ちやすく視認性が高い線となっている。図示の例では、横重ね代線２及び縦重ね代線３と同様に太い破線となっている。このように防水シートＡには中央線４が描画されていることが好ましく、それにより、防水シートＡを長手方向と幅方向とに同時に重ね合わせる場合、防水シートＡの長手方向の重ね代幅を任意に調整する際に、この中央線４を合わせることで隣り合うシート同士を揃えて施工することができるというガイドの役目を果たし、防水シートＡの施工性が向上するものである。
【００２０】
中央線４の視認性については、前述の横重ね代線２及び縦重ね代線３と同様に目立ちやすくなって視認性が高くなるのであれば、適宜の線種や色種を用いることができるものであり、中央線４の線種や色種は、横重ね代線２や縦重ね代線３と異なっていてもよい。
【００２１】
防水シートＡは、家屋の防水加工用シートとして用いられる適宜の材料をシート状に加工して得られるものである。そのような材料としては、例えば、ポリエチレンフィルムにポリエステル不織布を重ねたものや、ポリオレフィンなどの樹脂による樹脂成形シート、ポリエチレン不織布を用いることができる。加工されたシートに適宜の方法で印刷することにより、補助線１、横重ね代線２、縦重ね代線３、及び中央線４の各線を防水シートＡに描画することができる。
【００２２】
次に、本発明の防水シートＡを用いて家屋の壁に防水加工を施す方法について説明する。図２（ａ）〜（ｄ）は、防水シートＡを取り付ける様子の一例を説明する正面図である。図２では、補助線１を破線で、横重ね代線２、縦重ね代線３及び中央線４を実線で示している。
【００２３】
防水シートＡを取り付けるにあたっては、まず、家屋の大きさに合わせて適宜の長さに防水シートＡをカッター等の裁断具で裁断する。このとき、防水シートＡには補助線１によって格子状の模様が形成されているので、幅方向においては縦補助線１ｂを切り取りの目安として、また、長手方向においては横補助線１ａを切り取りの目安として、容易に直線状に真っ直ぐ裁断することができるものである。
【００２４】
次に、図２（ａ）に示すように、裁断した防水シートＡの幅方向の一方の端部５（以下、上側に配置する端部５を上端部５aという）を上にし、幅方向の他方の端部５（以下、下端部５ｂという）を下にして、裁断された防水シートの長手方向の各端部７，７が柱１１，１１上になるように配置する。
【００２５】
次に、図２（ｂ）に示すように、取り付けられた防水シートＡの長手方向の一方の端部７（以下、後端部７ｂという）の上に、別の防水シートＡ（二枚目の防水シートＡという）の長手方向の他方の端部（以下、先端部７ａという）を重ねて配置して取り付ける。その際、防水シートＡの幅方向の上端部５ａ及び下端部５ｂに描画された縦重ね代線３を目安にして、取り付ける二枚目の防水シートＡの長手方向の先端部７ａの先端端縁が、取り付けられた一枚目の防水シートＡの長手方向の後端部７ｂの最後端に描画された縦重ね代線３に重なるように防水シートＡを重ね合わせて配置する。このとき、防水シートＡには視認性の高い縦重ね代線３が描画されているので、容易に重ね合わせ幅を調整することができるものである。
【００２６】
次いで、二枚の防水シートＡが重ねられた部分の重ね上面から柱１１に向けてタッカーなどの固定具を打って防水シートＡを固定する。この動作を繰り返して順次防水シートＡを長手方向に重ね合わせて家屋の下部全体（又は所望する部分）に防水シートＡを取り付ける。
【００２７】
次に、図２（ｃ）に示すように、上記のように取り付けられた防水シートＡ（以下、一列目の防水シートＡという）の家屋の上方向に、一列目の防水シートＡの上端部５ａと、別の防水シートＡの下端部５ｂとが重なるように、別の防水シートＡ（以下、二列目の防水シートＡという）を配置する。その際、一列目の防水シートＡの上端部５ａに描画された横重ね代線２を目安に、取り付ける防水シートＡの下端部５ｂの先端端縁が、取り付けられた一列目の防水シートＡの上端部５ａに描画された横重ね代線２に重なるように防水シートＡを重ね合わせて配置する。このように、防水シートＡには視認性の高い横重ね代線２が描画されているので、容易に重ね合わせ幅を調整することができるものである。
【００２８】
次いで、図２（ｄ）に示すように、一列目の二枚目の防水シートＡの場合と同様に、二列目の取り付けられた防水シートＡの長手方向の後端部７ｂの上に、別の防水シートＡの長手方向の先端部７ａを重ねて配置して取り付ける。その際、防水シートＡの上端部５ａ及び下端部５ｂに描画された縦重ね代線３を目安にして、取り付ける防水シートＡの長手方向の先端部７ａの先端端縁が、取り付けられた一枚目の防水シートＡの長手方向の後端部７ｂに描画された縦重ね代線３に重なるように防水シートＡを重ね合わせて配置する。
【００２９】
それと共に、防水シートＡの上端部５ａに描画された横重ね代線２を目安に、取り付ける防水シートＡの下端部７ｂの先端端縁が、取り付けられた一列目の防水シートＡの上端部５ａに描画された横重ね代線２に重なるように防水シートＡを重ね合わせて配置して幅方向の重ね代を調整する。
【００３０】
また、その際、二列目の既に取り付けられた防水シートＡの中央線４の端部と、取り付ける別の防水シートＡの中央線４の端部とが重なるのを目安として防水シートＡを重ね合わせることができる。このように防水シートＡを取り付ける際に確認のしやすい中央部６に中央線４が描画されていれば、幅方向に既に取り付けられた防水シートＡを特に確認しなくとも、長手方向に既に取り付けられた防水シートＡと中央線４を合わせる調整をするだけで、隣り合うシートを揃えて施工することができ、また長手方向の重ね代幅を容易に設定することができ、施工性が向上するものである。また、中央線４が描画されていれば、防水シートＡの中央位置・幅が把握しやすく、タッカーなどの固定具を打つ目安になるなど、防水シートの施工に有利に働くものである。
【００３１】
二列目の防水シートＡの取り付けについては、一列目と同様、防水シートＡが重ねられた部分の重ね上面から柱１１に向けてタッカーなどの固定具を打つことにより防水シートＡを固定する。この動作を複数回繰り返すことにより、複数の防水シートＡからなる二列目の防水シートＡを家屋の上方向に取り付けることができる。
【００３２】
そして、同様に三列目、四列目、・・・と繰り返し防水シートＡを複数列取り付けることにより、家屋の壁全体（又は所望する部分）に防水シートＡを取り付ける。
【００３３】
図３は、このようにして防水シートＡが取り付けられた状態の家屋の一例を示す斜視図である。図３では、横重ね代線２及び縦重ね代線３を実線で示し、視認性の低い補助線１を省略している。
【００３４】
図３に示すような家屋の防水シートＡの取り付けについても、図２の方法と同様に行うことができるが、家屋の基礎１５に隣接する防水シートＡ（すなわち一列目の防水シートＡ）を取り付ける場合には、防水性を確実にするために、防水シートＡを土台水切り材１４の壁当て片１４ａの外表面に重ねて両面防水テープなどの粘着材により壁当て片１４ａと防水シートＡの下端部５ｂ裏面とを貼り付けることが好ましい。
【００３５】
また、家屋のコーナー１６として、柱１１により形成された出隅部１６ａや、柱補強材１３，１３により形成された入隅部１６ｂにおいては、防水性の向上のために、二枚の防水シートＡを、角をまたがるようにして重ねて取り付けることが好ましい。また、間柱１２に防水シートＡを取り付ける場合には、図中の矢印部分のように、防水性の向上のために、隣り合う間柱１２，１２に二枚の防水シートＡを架け渡して取り付けることが好ましい。このようなコーナー１６や間柱１２への取り付けにおいても、図１の防水シートＡによれば、その上端部５ａ及び下端部５ｂに、長手方向に並列した複数の縦重ね代線３が描画されていることにより、取り付ける防水シートＡの長手方向の先端部７ａの先端端縁が、取り付けられた防水シートＡの長手方向の後端部７ｂから所定列数目に描画された縦重ね代線３に重なるように、また中央線４を重ねて防水シートＡを重ね合わせて配置すればよく、容易に重ね代の調整を行うことができるので、施工性が向上するものである。
【００３６】
ここで、家屋の壁は、通常、窓等が形成される矩形状の開口を有するものであり、開口を確保するために、その形状に合わせて防水シートＡを取り付け前に裁断して開口部８を形成しなければならない。その際、図１のような防水シートＡによれば、補助線１により格子模様が描画されているので、補助線１に沿って、又は補助線１と平行に、縦方向及び横方向に真っ直ぐに容易に防水シートＡを裁断することができ、窓等を形成するための開口部８を簡単に形成することができるものである。
【００３７】
このようにして、家屋の壁下地として防水シートＡを取り付けて、家屋の防水加工を施すことができる。
【００３８】
なお、本実施の形態においては、壁の防水シートの例を示したが、本発明はこれに限定されるものではなく、屋根の防水シート等としても用いることができる。また、長手方向に長く形成されて巻き取られる防水シートの例を示したが、巻取りをしない矩形状の防水シートであってもよい。また、補助線１と、横重ね代線２と、縦重ね代線３と、中央線４とが全体として格子模様を形成した防水シートの例を示したが、横重ね代線２、縦重ね代線３及び中央線４が、補助線１が形成する格子模様の一部になっていなくてもよい。
【図面の簡単な説明】
【００３９】
【図１】本発明の防水シートの一例を示す平面図である。
【図２】図１の防水シートを施工する様子の一例を説明する正面図である。
【図３】図１の防水シートが施工された家屋の一例を示す斜視図である。
【図４】従来の防水シートの一例を示す平面図である。
【符号の説明】
【００４０】
１      補助線
１ａ    横補助線
１ｂ    縦補助線
２      横重ね代線
３      縦重ね代線
４      中央線
５      幅方向の端部
６      中央部
Ａ      防水シート
【図１】
2010144370.tif 000003
【図２】
2010144370.tif 000004
【図３】
2010144370.tif 000005
【図４】
2010144370.tif 000006